(57)【要約】【課題】簡易な構成を用いつつも止水を適切に行わせる。【解決手段】外壁目地の止水構造は、上部が壁材２２と下地フレーム２３との間に固定されるとともに、下部が壁材２２の下方に垂れ下がって設けられる壁下シート３３と、外壁パネル２１の間に形成される縦目地２７の下方において隣り合う壁材２２の各壁下シート３３に跨がるようにして屋外側から貼り付けられる防水テープ３６と、縦目地２７において、少なくとも目地奥側の先端部が下地フレーム２３の間に入り込むようにして設けられる第２ガスケット３２と、を備えている。防水テープ３６は、伸縮変形可能なシート材よりなり、壁材２２の下端に沿って貼り付けられており、第２ガスケット３２は、壁材２２より下方に延びる部位を有し、当該部位により防水テープ３６を壁材２２の裏面よりも奥側に押し込んだ状態で取り付けられている。【選択図】      図３
2018003494.tif 000002
【特許請求の範囲】
【請求項１】
壁材（２２）と下地フレーム（２３）とを有する複数の外壁パネル（２１）を横並びに固定して構成される建物外壁部（２０）に適用され、隣り合う前記外壁パネルにおいて前記壁材及び前記下地フレームの間に形成される目地（２７）の止水構造であって、
上部が前記壁材と前記下地フレームとの間に固定されるとともに、下部が前記壁材の下方に垂れ下がって設けられる壁下シート（３３）と、
前記外壁パネルの間に形成される目地の下方において隣り合う前記壁材の前記各壁下シートに跨がるようにして屋外側から貼り付けられる止水シート（３６）と、
前記目地において、少なくとも目地奥側の先端部が前記下地フレームの間に入り込むようにして設けられる定形シール（３２）と、
を備え、
前記止水シートは、伸縮変形可能なシート材よりなり、前記壁材の下端に沿って貼り付けられており、
前記定形シールは、前記壁材より下方に延びる部位を有し、当該部位により前記止水シートを前記壁材の裏面よりも奥側に押し込んだ状態で取り付けられていることを特徴とする外壁目地の止水構造。
【請求項２】
前記止水シートは、上部に突起部（３６ａ）を有しており、その突起部が前記目地内に入り込む構成となっていることを特徴とする請求項１に記載の外壁目地の止水構造。
【請求項３】
前記下地フレームは、前記壁材よりも下方に延びる部位を有しており、
前記止水シートは、前記壁下シートの屋外側において前記下地フレームに対して壁厚み方向に重複する範囲で貼り付けられていることを特徴とする請求項１又は２に記載の外壁目地の止水構造。
【請求項４】
前記目地内に、隣り合う前記壁材の間に配置される一次シール部材（３１）と、隣り合う前記下地フレームの間に配置される二次シール部材（３２）とが設けられる止水構造であって、
前記定形シールは、前記二次シール部材により構成されていることを特徴とする請求項１乃至３のいずれか１項に記載の外壁目地の止水構造。
【請求項５】
複数の建物ユニット（１５）を連結して構築されるユニット式建物（１０）において、前記各建物ユニットに固定された前記外壁パネルより構成される前記建物外壁部に適用され、
前記建物ユニットどうしを連結することに伴い前記外壁パネル間に前記目地が形成され、その目地内に前記一次シール部材と前記二次シール部材とが設けられていることを特徴とする請求項４に記載の外壁目地の止水構造。
【請求項６】
壁材（２２）と下地フレーム（２３）とを有する複数の外壁パネル（２１）を横並びに固定して構成される建物外壁部（２０）に適用され、隣り合う前記外壁パネルにおいて前記壁材及び前記下地フレームの間に形成される目地（２７）に対して止水処理を実施する外壁目地の止水処理方法であって、
前記外壁パネルは、上部が前記壁材と前記下地フレームとの間に固定されるとともに、下部が前記壁材の下方に垂れ下がって設けられる壁下シート（３３）を備えており、
伸縮変形可能なシート材よりなる止水シート（３６）を、前記外壁パネルの間に形成される目地の下方において隣り合う前記壁材の前記各壁下シートに跨がるようにして、前記壁材の下端に沿って屋外側から貼り付けるシート貼付処理と、
その後、定形シール（３２）を、前記定形シールの下端部が前記壁材よりも下方となり、かつ、当該下方となる部位により前記止水シートを前記壁材の裏面よりも目地奥側に押し込んだ状態で、前記目地内に取り付けるシール取付処理と、
を備えることを特徴とする外壁目地の止水処理方法。
【請求項７】
前記下地フレームは、前記壁材よりも下方に延びる部位を有しており、
前記シート貼付処理では、前記壁下シートの屋外側において前記下地フレームに対して壁厚み方向に重複する範囲で前記止水シートを貼り付けることを特徴とする請求項６に記載の外壁目地の止水処理方法。
【発明の詳細な説明】
【技術分野】
【０００１】
本発明は、外壁目地の止水構造、及び止水処理方法に関する。
【背景技術】
【０００２】
住宅等の建物では、複数の外壁パネルが横並びに設けられることにより外壁が構成されている場合がある。この種の外壁パネルは、壁材と、壁材の屋内側に設けられた下地フレームとを有して構成されている。この場合、隣り合う外壁パネルの間には上下に延びる目地（縦目地）が形成される。目地には、当該目地を通じて屋内側に雨水等の水が浸入するのを阻止するために、ガスケットやシーリング材等の止水シールが設けられている。
【０００３】
例えば特許文献１には、建物上階における縦目地と、上下階の間の横目地とを塞ぐ外壁パネルのシール構造において、縦目地の防水シートと内外二重のガスケットとにより目地防水を実施する場合に、縦目地の防水シートが相当の長さを有することに起因する施工現場での作業性低下の問題を解消するために、縦目地と横目地との交差部に、鋼板が固着された結合シートを設ける構成が開示されている。
【先行技術文献】
【特許文献】
【０００４】
【特許文献１】特開２０００−１０４３５５号公報
【発明の概要】
【発明が解決しようとする課題】
【０００５】
しかしながら、上記特許文献１の技術を含め既存の技術では、外壁目地における止水性能を高めるべく複雑な構成が必須となっており、コストや作業性等を考えると、技術改善の余地があると考えられる。
【０００６】
本発明は、上記事情に鑑みてなされたものであり、簡易な構成を用いつつも止水を適切に行わせることができる外壁目地の止水構造、及び止水処理方法を提供することを主たる目的とするものである。
【課題を解決するための手段】
【０００７】
以下、上記課題を解決するのに有効な手段等につき、必要に応じて作用、効果等を示しつつ説明する。なお以下においては、理解の容易のため、発明の実施の形態において対応する構成の符号を括弧書き等で適宜示すが、この括弧書き等で示した具体的構成に限定されるものではない。
【０００８】
第１の発明は、
壁材（２２）と下地フレーム（２３）とを有する複数の外壁パネル（２１）を横並びに固定して構成される建物外壁部（２０）に適用され、隣り合う前記外壁パネルにおいて前記壁材及び前記下地フレームの間に形成される目地（２７）の止水構造であって、
上部が前記壁材と前記下地フレームとの間に固定されるとともに、下部が前記壁材の下方に垂れ下がって設けられる壁下シート（３３）と、
前記外壁パネルの間に形成される目地の下方において隣り合う前記壁材の前記各壁下シートに跨がるようにして屋外側から貼り付けられる止水シート（３６）と、
前記目地において、少なくとも目地奥側の先端部が前記下地フレームの間に入り込むようにして設けられる定形シール（３２）と、
を備え、
前記止水シートは、伸縮変形可能なシート材よりなり、前記壁材の下端に沿って貼り付けられており、
前記定形シールは、前記壁材より下方に延びる部位を有し、当該部位により前記止水シートを前記壁材の裏面よりも奥側に押し込んだ状態で取り付けられていることを特徴とする。
【０００９】
上記の止水構造では、隣り合う外壁パネルにより形成される目地に、下地フレーム間の隙間に入り込むようにして定形シールが取り付けられている。また、目地の下方において、各壁下シートに跨がるようにしてそれら各壁下シートに止水シートが貼り付けられている。また特に、定形シールは、壁材より下方に延びる部位を有し、当該部位により止水シートを壁材の裏面よりも奥側に押し込んだ状態で取り付けられている。かかる場合、壁材の下方領域において止水シートの伸縮性を利用して止水シートを定形シールに密着させることができ、ひいては壁下シート間における止水性能の向上を図ることができる。このとき、目地の下方は左右の壁下シートの分かれ目となっており、定形シールにより止水シートを押し込み変形させる上で好適である。その結果、簡易な構成を用いつつも止水を適切に行わせることができる。
【００１０】
第２の発明は、前記止水シートは、上部に突起部（３６ａ）を有しており、その突起部が前記目地内に入り込む構成となっていることを特徴とする。
【００１１】
止水シートの上部に形成された突起部が目地内に入り込む構成としたため、目地内においても止水シートを定形シールに密着させることができる。これにより、定形シールに対して止水シートを密着させる領域（上下長さ）を大きくすることができ、止水性能の一層の向上を実現できる。
【００１２】
第３の発明は、前記下地フレームは、前記壁材よりも下方に延びる部位を有しており、前記止水シートは、前記壁下シートの屋外側において前記下地フレームに対して壁厚み方向に重複する範囲で貼り付けられていることを特徴とする。
【００１３】
止水シートを、壁下シートの屋外側において下地フレームに対して壁厚み方向に重複する範囲で貼り付ける構成としたため、止水シートが、外壁パネル間に挟まれた状態で奥側に伸張変形するものとなっている。この場合、止水シートは、定形シールを取り囲むように変形することとなり、定形シールに対する止水シートの密着性を高めることができる。これにより、止水性能の一層の向上を実現できる。
【００１４】
第４の発明は、前記目地内に、隣り合う前記壁材の間に配置される一次シール部材（３１）と、隣り合う前記下地フレームの間に配置される二次シール部材（３２）とが設けられる止水構造であって、前記定形シールは、前記二次シール部材により構成されていることを特徴とする。
【００１５】
目地内に一次シール部材と二次シール部材とが設けられる止水構造において、定形シールが二次シール部材により構成されるものとした。この場合、一次シール部材及び二次シール部材を用いた簡易な構成を用いつつも、優れた止水構造を実現できる。
【００１６】
第５の発明は、複数の建物ユニット（１５）を連結して構築されるユニット式建物（１０）において、前記各建物ユニットに固定された前記外壁パネルより構成される前記建物外壁部に適用され、前記建物ユニットどうしを連結することに伴い前記外壁パネル間に前記目地が形成され、その目地内に前記一次シール部材と前記二次シール部材とが設けられていることを特徴とする。
【００１７】
ユニット式建物においては、複数の建物ユニットを連結することに伴い外壁パネル間の目地が形成される。ここで、ユニット境界部の目地では他の部位の目地とは異なり、下地フレーム間の隙間が比較的大きくなることを考慮しつつ、目地内に一次シール部材と二次シール部材とを設けることで適正な止水構造を実現できる。この場合、上述の定形シールを二次シール部材として設けることとしたため、ユニット境界部の目地において一層適正な止水構造を実現できる。ユニット式建物の施工に際しては、止水処理に関する作業性を大いに向上させることができる。
【００１８】
第６の発明は、
壁材（２２）と下地フレーム（２３）とを有する複数の外壁パネル（２１）を横並びに固定して構成される建物外壁部（２０）に適用され、隣り合う前記外壁パネルにおいて前記壁材及び前記下地フレームの間に形成される目地（２７）に対して止水処理を実施する外壁目地の止水処理方法であって、
前記外壁パネルは、上部が前記壁材と前記下地フレームとの間に固定されるとともに、下部が前記壁材の下方に垂れ下がって設けられる壁下シート（３３）を備えており、
伸縮変形可能なシート材よりなる止水シート（３６）を、前記外壁パネルの間に形成される目地の下方において隣り合う前記壁材の前記各壁下シートに跨がるようにして、前記壁材の下端に沿って屋外側から貼り付けるシート貼付処理と、
その後、定形シール（３２）を、前記定形シールの下端部が前記壁材よりも下方となり、かつ、当該下方となる部位により前記止水シートを前記壁材の裏面よりも目地奥側に押し込んだ状態で、前記目地内に取り付けるシール取付処理と、
を備えることを特徴とする。
【００１９】
上記の止水処理方法では、隣り合う外壁パネルにより形成される目地に、下地フレーム間の隙間に入り込むようにして定形シールが取り付けられる。また、目地の下方において、各壁下シートに跨がるようにしてそれら各壁下シートに止水シートが貼り付けられる。また特に、定形シールの取り付けに際しては、下端部が壁材よりも下方となり、かつ、当該下方となる部位により止水シートを壁材の裏面よりも目地奥側に押し込んだ状態で、定形シールが目地内に取り付けられる。かかる場合、壁材の下方領域において止水シートの伸縮性を利用して止水シートを定形シールに密着させることができ、ひいては壁下シート間における止水性能の向上を図ることができる。このとき、目地の下方は左右の壁下シートの分かれ目となっており、定形シールにより止水シートを押し込み変形させる上で好適である。その結果、簡易な構成を用いつつも止水を適切に行わせることができる。
【００２０】
第７の発明は、前記下地フレームは、前記壁材よりも下方に延びる部位を有しており、前記シート貼付処理では、前記壁下シートの屋外側において前記下地フレームに対して壁厚み方向に重複する範囲で前記止水シートを貼り付けることを特徴とする。
【００２１】
止水シートを、壁下シートの屋外側において下地フレームに対して壁厚み方向に重複する範囲で貼り付ける構成としたため、止水シートが、外壁パネル間に挟まれた状態で奥側に伸張変形するものとなっている。この場合、止水シートは、定形シールを取り囲むように変形することとなり、定形シールに対する止水シートの密着性を高めることができる。これにより、止水性能の一層の向上を実現できる。
【図面の簡単な説明】
【００２２】
【図１】ユニット式建物の概要を示す斜視図。
【図２】ユニット式建物の概要を示す斜視図。
【図３】本体外壁部において二階部分の下端部における止水構造を示す斜視図。
【図４】止水構造を構成する各部材を分解して示す分解斜視図。
【図５】縦目地内の止水構造を示す横断面図。
【図６】縦目地内の止水構造を示す縦断面図。
【図７】図６のＡ−Ａ線断面図。
【図８】止水構造の製造手順を示す説明図。
【発明を実施するための形態】
【００２３】
以下に、本発明を具体化した一実施の形態について図面を参照しつつ説明する。本実施形態では、建物として、複数の建物ユニットが互いに組み合わされてなるユニット式建物を具体化している。図１は、そのユニット式建物の概要を示す斜視図である。
【００２４】
図１に示すように、建物１０は、一階部分１１及び二階部分１２を有する建物本体１３と、その建物本体１３の上方に設けられた屋根部１４とを備えている。建物本体１３は、複数の建物ユニット１５が互いに連結されることにより構成されている。屋根部１４は、例えば切り妻式の屋根として構成されている。建物１０の施工に際しては、建物ユニット１５が製造工場においてあらかじめ製造され、その後施工現場にトラック等により搬送される。そして、施工現場において複数の建物ユニット１５が組み付けられるとともに、その上に屋根部１４が施工されることにより建物１０が構築される。
【００２５】
建物ユニット１５の構成は周知であるため、ここでは簡単に説明する。建物ユニット１５は、その四隅に配設される４本の柱と、各柱の上端部及び下端部をそれぞれ連結する各４本の天井大梁及び床大梁とを備え、それら柱、天井大梁及び床大梁により直方体状に形成されている。柱は四角筒状の角形鋼よりなり、天井大梁及び床大梁は断面コ字状の溝形鋼よりなる。
【００２６】
建物１０の外周部分は外壁部２０となっている。外壁部２０は、建物本体１３に設けられた本体外壁部２０ａと、屋根部１４に設けられた屋根外壁部２０ｂとを有している。
【００２７】
図２に示すように、本体外壁部２０ａは、建物ユニット１５の天井大梁及び床大梁に固定された複数の外壁パネル２１により構成されている。外壁パネル２１は、壁材２２と下地フレーム２３とにより構成されている。また、屋根外壁部２０ｂは、例えば屋根部１４の妻面に設けられ、その妻面に応じた形状を有する複数の外壁パネル２４により構成されている。外壁パネル２４は、壁材２５と下地フレーム２６とにより構成されている。壁材２２，２５は、窯業系サイディングボード等の外壁面材よりなり、その表面により屋外面（外壁面）が形成される。下地フレーム２３，２６は、例えば溝形鋼やＬ形鋼等により矩形に形成された矩形フレームよりなる。なお、本体外壁部２０ａの外壁パネル２１は、基本的にユニット工場にて建物ユニット１５に取り付けられ、屋根外壁部２０ｂの外壁パネル２４は現場施工される。
【００２８】
本体外壁部２０ａにおいては、複数の外壁パネル２１が横並びで配置されており、隣り合う外壁パネル２１の間には縦目地２７が形成されている。また、屋根外壁部２０ｂにおいては、複数の外壁パネル２４が横並びで配置されており、隣り合う外壁パネル２４の間には縦目地２８が形成されている。
【００２９】
次に、本体外壁部２０ａの縦目地２７を例にして、縦目地２７の止水構造について説明する。図３は、本体外壁部２０ａにおいて二階部分１２の下端部における止水構造を示す斜視図であり、図４は、止水構造を構成する各部材を分解して示す分解斜視図である。なお、図４に示す部分は、図２のＡ部に相当する。また、図５は、縦目地２７内の止水構造を示す横断面図であり、図６は、縦目地２７内の止水構造を示す縦断面図である。ここでは、本体外壁部２０ａの縦目地２７のうち特に建物ユニット１５の境界部となる位置の縦目地２７について、その止水構造を説明する。図４には縦目地２７の中央に、ユニットドッキングラインＬＵが示されている。縦目地２７の目地幅は例えば約１０ｍｍ程度である。
【００３０】
なお、図示は略しているが、建物１０の外壁部２０において、一階部分１１と二階部分１２との境界部分や、本体外壁部２０ａと屋根外壁部２０ｂとの境界部分にはその境界見切り部を隠す化粧胴差しが取り付けられるようになっており、これらの境界部分における上下方向の各壁材２２，２５の間の離間部分は化粧胴差しにより隠されるようになっている。
【００３１】
図３〜図６に示すように、隣り合う外壁パネル２１の間には、隣り合う建物ユニット間の隙間に応じて縦目地２７が形成されており、その縦目地２７には、一次シール部材としての第１ガスケット３１と、二次シール部材としての第２ガスケット３２とが内外二重に嵌め込まれている。詳しくは、縦目地２７においては、壁材２２の間となる隙間Ｓ１と、下地フレーム２３の縦フレーム部２３ａの間となる隙間Ｓ２とが形成されており、第１ガスケット３１は隙間Ｓ１に設けられ、第２ガスケット３２は隙間Ｓ２に設けられている。なお、第２ガスケット３２は、少なくとも目地奥側の先端部が縦フレーム部２３ａの間に入り込むようにして設けられるとよい。この場合、縦目地２７では、外壁面を伝う雨水等の浸入が第１ガスケット３１で防がれるとともに、第１ガスケット３１の奥側に入った微量の雨水等の屋外側への浸入が第２ガスケット３２で防がれるようになっている。
【００３２】
これら各ガスケット３１，３２は、ＥＰＤＭ等の弾性材料により長尺に形成されており、より具体的には、長手方向に延びる中空部を有し、その中空部が上端及び下端にて各々開口する構成となっている。
【００３３】
また、各外壁パネル２１の下地フレーム２３（詳しくは同フレームの横フレーム部２３ｂ）には、上部が壁材２２の裏面側に固定されるとともに、その下部が壁材２２の下方に垂れ下がる状態で壁下シート３３が設けられている。本実施形態では、壁材２２及び下地フレーム２３の間に挟まれた状態で、壁下シート３３が取り付けられている。壁下シート３３は、クロロプレンゴム（ＣＲゴム）等の耐水性を有する材料により形成された防水シートであり、壁材２２の下端部に沿って延びている。なお、下地フレーム２３には、壁下シート３３の屋外側に例えばＥＰＤＭ等のゴム材（スポンジ材）よりなる長尺状の止水部材３４が貼り付けられている。
【００３４】
図３や図６に示すように、壁下シート３３は、その下端部が二階部分１２における外壁パネル２１の壁材２２の表側に重ねられている。この場合、壁下シート３３は、二階側の壁材２２の裏面側と一階側の壁材２２の裏面側との間で上下に架け渡された状態となっている。これにより、それら上下の壁材２２間が壁下シート３３により閉塞され、上下の壁材２２間を通じて雨水等の水が屋内側に浸入することが防止されている。
【００３５】
また、縦目地２７の下方においては、各壁材２２に設けられた壁下シート３３の繋ぎ合わせ部分の止水処理が施されている。その概略として、隣り合う壁下シート３３の繋ぎ合わせ部分には、伸縮変形可能な止水シートとしての防水テープ３６が屋外側から貼り付けられている。特にこの場合、第２ガスケット３２が、壁材２２より下方に延びる部位を有し、当該部位により防水テープ３６を壁材２２の裏面よりも奥側に押し込んだ状態で縦目地２７に取り付けられている。
【００３６】
防水テープ３６は、例えば伸縮変形可能なＥＰＤＭ系ゴムシートからなる基材に、ブチルゴム系粘着剤を積層して構成されている。防水テープ３６において片面の側は全体が接着面となっている。また、防水テープ３６は、全体として矩形状をなすとともに、上辺中央部から突き出た状態の突起部３６ａを有している。突起部３６ａの横幅寸法Ｌ１は、縦目地２７の幅寸法よりも大きい寸法であるとよい。
【００３７】
図６には、縦目地２７にガスケット３１，３２が取り付けられるとともに、縦目地２７の下方に防水テープ３６が取り付けられた状態が示されている。この場合、壁材２２の奥側（屋内側）には、壁材２２の下端よりも寸法Ｌ２だけ下方にはみ出すようにして下地フレーム２３の縦フレーム部２３ａが取り付けられるとともに、壁材２２の下端よりも寸法Ｌ３（＞Ｌ２）だけ下方にはみ出すようにして第２ガスケット３２が取り付けられている。ちなみに、第１ガスケット３１は、壁材２２に対して下端の位置が一致するように取り付けられている。
【００３８】
また、防水テープ３６は、隣り合う壁下シート３３の間の隙間を通じて、第２ガスケット３２（詳しくは寸法Ｌ３の部分）により奥側に押し込められており、局部的に壁材２２の裏面よりも奥側に入り込む状態となっている。
【００３９】
図７は、図６におけるＡ−Ａ線断面図であり、当該図７に示すように、壁下シート３３の屋外側（図の上側）には防水テープ３６が貼り付けられており、第２ガスケット３２が下地フレーム間の隙間Ｓ２まで押し込まれることで、防水テープ３６が目地奥側まで押し伸ばされている。この場合、防水テープ３６は、壁下シート３３の屋外側において下地フレーム２３（壁下に延びる部分）に対して壁厚み方向に重複する範囲で貼り付けられており、下地フレーム間に挟まれた状態で奥側（図の下側）に伸張変形したものとなっている。この状態では、防水テープ３６は、第２ガスケット３２を取り囲むように変形しており、第２ガスケット３２に対する防水テープ３６の密着性が高められている。
【００４０】
次に、縦目地２７の止水構造を、製造手順と共により具体的に説明する。図８は、止水構造の製造手順を示す説明図である。
【００４１】
図８（ａ）では、建物施工現場で一階部分１１及び二階部分１２の建物ユニットが設置された状態において、隣り合う外壁パネル２１の壁下シート３３に跨がるようにして防水テープ３６が屋外側から貼り付けられる（「シート貼付処理」に相当）。このとき、壁材２２の下端に防水テープ３６の上端を位置合わせするようにして、壁下シート３３に防水テープ３６が貼り付けられる。これにより、防水テープ３６の突起部３６ａが縦目地２７内に入り込む位置にセットされる。また、防水テープ３６の貼り付けにより、隣り合う壁下シート３３が左右方向に一体化される。
【００４２】
その後、図８（ｂ）に示すように、縦目地２７内に、第２ガスケット３２が嵌め込まれる（「シール取付処理」に相当）。このとき、第２ガスケット３２は、上下方向の位置を、第２ガスケット３２の下端が壁材２２よりも下方となる位置とし、かつ、壁厚み方向の位置を、壁材２２よりも奥側の位置、すなわち下地フレーム２３間の隙間Ｓ２の位置として、縦目地２７内に嵌め込まれる。これにより、図８（ｃ）に示すように、壁材２２の下端から寸法Ｌ２だけ突出して、第２ガスケット３２が装着されることとなる。
【００４３】
第２ガスケット３２の装着状態では、防水テープ３６が、隣り合う壁下シート３３の間の隙間を通じて、第２ガスケット３２により奥側に押し込められ、局部的に壁材２２の裏面よりも奥側に入り込む状態とされる。
【００４４】
その後、図８（ｃ）に示すように、縦目地２７において、第２ガスケット３２の屋外側、すなわち壁材２２の間の隙間Ｓ１に第１ガスケット３１が嵌め込まれる。これにより、第２ガスケット３２の外側に二重に第１ガスケット３１が配置される。
【００４５】
以上により、図３に示すように、上階側の壁材２２の下端より上側の止水処理と、同じく壁材２２の下端より下側の止水処理とが完了する。
【００４６】
以上、詳述した本実施形態の構成によれば、以下の優れた効果が得られる。
【００４７】
上記の止水構造では、隣り合う外壁パネル２１により形成される縦目地２７に、下地フレーム間の隙間に入り込むようにして第２ガスケット３２が取り付けられている。また、縦目地２７の下方において、各壁下シート３３に跨がるようにしてそれら各壁下シート３３に防水テープ３６が貼り付けられている。また特に、第２ガスケット３２は、壁材２２より下方に延びる部位を有し、当該部位により防水テープ３６を壁材２２の裏面よりも奥側に押し込んだ状態で取り付けられている。かかる場合、壁材２２の下方領域において防水テープ３６の伸縮性を利用して防水テープ３６を第２ガスケット３２に密着させることができ、ひいては壁下シート間における止水性能の向上を図ることができる。このとき、縦目地２７の下方は左右の壁下シート３３の分かれ目となっており、第２ガスケット３２により防水テープ３６を押し込み変形させる上で好適である。その結果、簡易な構成を用いつつも止水を適切に行わせることができる。
【００４８】
防水テープ３６の上部に形成された突起部３６ａが縦目地２７内に入り込む構成としたため、縦目地２７内においても防水テープ３６を第２ガスケット３２に密着させることができる。これにより、第２ガスケット３２に対して防水テープ３６を密着させる領域（上下長さ）を大きくすることができ、止水性能の一層の向上を実現できる。
【００４９】
防水テープ３６を、壁下シート３３の屋外側において下地フレーム２６に対して壁厚み方向に重複する範囲で貼り付ける構成としたため、防水テープ３６が、外壁パネル２１間に挟まれた状態で奥側に伸張変形するものとなっている。この場合、防水テープ３６は、第２ガスケット３２を取り囲むように変形することとなり、第２ガスケット３２に対する防水テープ３６の密着性を高めることができる。これにより、止水性能の一層の向上を実現できる。
【００５０】
縦目地２７内に一次シール部材と二次シール部材とが設けられる止水構造において、第２ガスケット３２が二次シール部材により構成されるものとした。この場合、一次シール部材及び二次シール部材を用いた簡易な構成を用いつつも、優れた止水構造を実現できる。
【００５１】
ユニット式建物１０において、ユニット境界部の縦目地２７内に一次シール部材と二次シール部材とを設けることとし、さらに上述の第２ガスケット３２を二次シール部材として用いる構成とした。これにより、ユニット境界部の縦目地２７において適正な止水構造を実現できる。ユニット式建物１０の施工に際しては、止水処理に関する作業性を大いに向上させることができる。
【００５２】
建物施工現場での建物製造時において、防水テープ３６を貼り付けるシート貼付処理と、第２ガスケット３２を取り付けるシール取付処理とを順次実施することにより、上記構成の止水構造を構築するようにした。この場合、縦目地２７における適正なる止水構造の構築を実現できる。
【００５３】
本実施形態の上記止水構造は、乾式工法を用いたものであるため、施工作業性とメンテナンス性に優れていると言える。
【００５４】
本発明は上記実施形態に限らず、例えば次のように実施されてもよい。
【００５５】
・上記実施形態では、止水シートとしての防水テープ３６に突起部３６ａを設ける構成としたが、この突起部３６ａを設けない構成としてもよい。かかる構成にあっても、第２ガスケット３２が、壁材２２より下方に延びる部位を有し、当該部位により防水テープ３６を壁材２２の裏面よりも奥側に押し込んだ状態で取り付けられることにより、やはり所望の効果を実現できる。
【００５６】
・縦目地２７における一次シール部材を、定形ガスケットでなく、シーリング材等の不定形シールにより構成してもよい。
【００５７】
・本発明の止水処理方法は、建物の新築時だけでなく、建物のリフォーム時、すなわち建物外壁部の修繕時にも適用できる。
【００５８】
・本発明は、建物ユニットどうしのユニット境界部の縦目地２７に適用されるだけでなく、他の箇所への適用も可能である。例えば、本体外壁部２０ａにおいてユニット境界部以外の縦目地２７に、本発明の止水構造が適用されてもよい。又は、バルコニーを有する建物において、バルコニー床部付近の縦目地に、本発明の止水構造が適用されてもよい。また、建物入隅部における外壁目地に、本発明の止水構造が適用されてもよい。
【００５９】
・本発明は、ユニット式建物にも適用可能であり、例えば鉄骨軸組工法の建物や、在来木造工法の建物等にも適用可能である。
【符号の説明】
【００６０】
１０…建物、２０…外壁部、２１…外壁パネル、２２…壁材、２３…下地フレーム、２７…縦目地、３１…第１ガスケット（一次シール部材）、３２…第２ガスケット（二次シール部材）、３３…壁下シート、３６…防水テープ（止水シート）、３６ａ…突起部。
【図１】
2018003494.tif 000003
【図２】
2018003494.tif 000004
【図３】
2018003494.tif 000005
【図４】
2018003494.tif 000006
【図５】
2018003494.tif 000007
【図６】
2018003494.tif 000008
【図７】
2018003494.tif 000009
【図８】
2018003494.tif 000010